(57)【要約】      （修正有）【課題】企業の魅力を高め、販売を促進しながら、消費者に消費宝くじカードを発行するシステムを提供する。【解決手段】消費宝くじカード５は、カード番号と、消費宝くじ番号と、カード読取端末６とのデータの読み書きすることができる機能と、を備える。カード読取端末は、カードとのデータの読み書きする読み書き手段と、管理記憶サーバーとの交信する交信手段と、を備える。管理記憶サーバーは発行する消費宝くじカード及びカード読取端末に関する情報データを記憶する記憶手段とカードに書き込まれる情報データを記憶手段に登録する登録手段と、を備える。カード発行元は、消費宝くじカードを発行する発行手段と、管理記憶サーバーを管理する管理手段と、消費宝くじ番号の当選番号を抽選する抽選手段と、当選番号の当選者に当選金を支払手段と、を備える。【選択図】図２
2018060238.tif 000002
【特許請求の範囲】
【請求項１】
消費宝くじカードと、消費宝くじカードを読み書きするカード読取端末と、オンラインでカード読取端末と接続され、発行した消費宝くじカード及び接続されるカード読取端末に関する情報データを管理記憶するサーバーと、消費宝くじカード発行及び管理記憶サーバーなどを管理するカード発行元と、を備えることを特徴とする消費宝くじカードシステムであって、
前記消費宝くじカードは、
カード番号と、
消費宝くじ番号と、
消費宝くじ番号額と、
前記カード読取端末との情報データの読取書込みができる機能と、
を備え、
前記カード読取端末は、
前記カードとの情報データの読取書込みする読み書き手段と、
前記管理記憶サーバーとの交信する交信手段と、
を備え、
前記管理記憶サーバーは
前記発行する消費宝くじカード及びカード読取端末に関する情報データを記憶する記憶手段と
前記カードに書き込まれる情報データを記憶手段に登録する登録手段と、
を備え、
前記カード発行元は、
前記消費宝くじカードを発行する発行手段と、
前記管理記憶サーバーを管理する管理手段と、
前記消費宝くじ番号の当選番号を抽選する抽選手段と、
前記当選番号の当選者に当選金を支払手段と
を備えること、
を特徴とする消費宝くじカードシステム。
【請求項２】
前記消費宝くじカードシステムの消費宝くじカードであって、
カード番号と、
消費宝くじ番号と、
消費宝くじ番号額と
前記カード読取端末との情報データの読取書込みすることができる記憶媒体機能と、
を備えること、
を特徴とする消費宝くじカード。
【請求項３】
消費宝くじカードと、消費宝くじカードを読み書きするカード読取端末と、オンラインでカード読取端末と接続され、発行した消費宝くじカード及び接続されるカード読取端末に関する情報データを管理記憶するサーバーと、消費宝くじカード発行及び管理記憶サーバーなどを管理するカード発行元と、を備えることを特徴とする消費宝くじカード方法であって、
消費宝くじカード発行元発行のカードを消費者に配布ステップと、
消費者はカードを提示して加盟企業である企業から買い物、
企業は買い物の物を提供、消費者は買い物のお金を支払うステップと、
企業は消費者のカードを読取端末に読取して記録金額を記録させるステップと、
読取端末はカードとのやり取り情報を管理記憶サーバーに登録するステップと、
発行元は抽選を行い、当選情報をインタネットなどを通じて公示するステップと、
当選者に当選金を支払うステップと、
が含まれること、
を特徴とする消費宝くじカード方法。
【発明の詳細な説明】
【技術分野】
【０００１】      本発明の実施形態は、消費宝くじカードシステムと、消費宝くじカードと、カード読取端末と、管理記憶サーバーと、消費宝くじカード方法などに関する。
【背景技術】
【０００２】      従来、企業の販売促進などの目的で、商業施設（ネットショップなどを含む）など特定の場所に時期限定で消費者に抽選チャンスを与えて、当選者に賞金又は賞品又はそれらに相当するサービスを提供することがある。又は、ユーザーがクレジットカート、プリペイドカード、電子マネーなどを用いた場合、ポイントサービスをうけることがある。【０００３】      しかし上述した場合には、消費者の購買行動が、時間、場所、商品（サービス）、会員制などに制限されることが多く見られ、常に企業販売促進する効果が望めない。又は、抽選チャンスを得るため必要以上に買い物をし、後で後悔する消費者が一部にいることも考えられる。
【発明の概要】
【発明が解決しようとする課題】
【０００４】      企業の魅力を高め、販売を促進しながら、常に消費者の購買行動に後悔のない楽しみを伴われることができるように、消費宝くじカードを発行して消費者に配布、消費宝くじカード読取端末を企業（加盟企業）に備え（一部例外もある）、消費宝くじカードを持つ消費者（カード利用者）は、加盟企業で商品又はサービスを購入する毎に消費宝くじカードを提示することで、消費宝くじカードに記録金額を与えられて蓄積される、記録金額が番号額に達するとカードに備える消費宝くじ番号が有効になり、後日の抽選で番号が一致すれば当選金を貰えることを課題とした。【０００５】      本発明は、消費宝くじカードを持つ消費者（カード利用者）は、加盟企業で商品又はサービスを購入する毎に消費宝くじカードを提示することで、消費宝くじカードに記録金額を与えられ、蓄積される、記録金額が番号額に達するとカードに備える消費宝くじ番号が有効になり、後日の抽選で番号が一致すれば当選金を貰える消費宝くじカードシステムと、消費宝くじカードと、カード読取端末と、管理記憶サーバーと、消費宝くじカード方法を提供することを目的とする。
【課題を解決するための手段】
【０００６】      上記課題を解決するために、本発明のある観点によれば、消費宝くじカードと、消費宝くじカードを読み書きするカード読取端末（カードリーダーライタ）と、オンラインでカード読取端末と接続される管理記憶サーバーと、消費宝くじカード発行及び管理記憶サーバーなどを管理するカード発行元と、を備えることを特徴とする消費宝くじカードシステムであって、前記消費宝くじカードは、カード番号と、消費宝くじ番号と、消費宝くじ番号額と、前記カード読取端末との情報データの読み書きができる機能と、を備え、前記カード読取端末は、前記カードとのデータの読み書きする読み書き手段と、前記管理記憶サーバーとの交信する交信手段と、を備え、前記管理記憶サーバーは前記発行する消費宝くじカード及びカード読取端末に関する情報データを記憶する記憶手段と前記カードに書き込まれる情報データを記憶手段に登録する登録手段と、を備え、前記カード発行元は、前記消費宝くじカードを発行する発行手段と、前記管理記憶サーバーを管理する管理手段と、前記消費宝くじ番号の当選番号を抽選する抽選手段と、前記当選番号の当選者に当選金を支払手段と、を備えること、を特徴とする消費宝くじカードシステムが提供される。【０００７】      消費宝くじカードには、１個又は複数個の抽選用消費宝くじ番号が予め備える、しかしこの消費宝くじ番号は、カードに記録された記録金額が番号額まで蓄積されないと有効にならない。消費宝くじ番号を有効になるため、カード利用者は値段も商品も同じようであれば、加盟企業にて、消費宝くじカードを提示して買い物すれば、消費宝くじカードに記録金額が記録、蓄積される、このように繰り替えることにつれ、消費宝くじカードにある消費宝くじ番号が次々と有効になる、後日の抽選で当選番号と一致すると、当選金がまらえる。【０００８】      上記の記録金額とは、カード利用者が企業から商品、サービスを購入する際に企業に支払金額の記録である。その記録金額が上記カード読取端末によってカードに書き込み、管理記憶サーバーに登録される。このような書き込み、登録を繰り返してすることがカードの限度額までできる。【０００９】      上記の番号額とは、消費宝くじカードにある抽選用消費宝くじ番号を有効になれる記録金額の額である。番号額は上記のカード発行元が設定した額で、カードを発行する時にすでにカードに書き込まれた。番号額をたとえ１００円に低く設定されたカードを利用する場合、加盟企業の１００円ショップで商品１点を買えば、消費宝くじカードに１００円の記録金額が書き込まれ、すると１個の消費宝くじ番号が有効になれるが、上記の例で番号額をたとえ１０００円に高く設定されたカードを利用して加盟企業の１００円ショップで商品１点を買うと、消費宝くじカードに１００円の記録金額が書き込まれるが、消費宝くじ番号が有効にはなれない。【００１０】      番号額を低く設定された消費宝くじカードの消費宝くじ番号と、番号額を高く設定された消費宝くじカードの消費宝くじ番号とは内容が異なり、上記の例にすると、２枚消費宝くじカードの消費宝くじ番号の間に１０倍の差が存在する。しかしこのような番号額の異なる設定はあくまでも使用保管上の便利のためであり、加盟企業、消費宝くじカード利用者にしては、どの番号額のカードを使えばお得、どの消費宝くじ番号額のカードを使えば損する、というようなことがなく、どちらの番号額のカードを使っても価値は同じ、なぜならば、いくら異なる番号額の消費宝くじカードにしても、記録金額が変わらないことだ。【００１１】      カード発行元において、例え同じの記録金額総額が１０００万円、当選金が２％の２０万、カード限度額が１万円の消費宝くじカードを、番号額低中高３種類、低番号額は１００円，中番号額は１０００円、高番号額は１００００円と設定して発行する場合、低番号額、中番号額、高番号額のカードが同じく１０００枚であるが、消費宝くじ番号はそれぞれ１０万個、１万個、１０００個になった。
そこで同じ１万円を使ってそれぞれ低中高３種類の消費宝くじカードを利用して買い物、それぞれ１００個、１０個、１個の消費宝くじ番号を有効になった、しかし抽選は、低中高３種類別々行うことで、すると、当選の確率は同じ０．１％なので、結果は同じであることわかる。【００１２】      しかし１枚の消費宝くじカードに１００個の消費宝くじ番号を記録することが見る側にしても不便であるため、低番号額の消費宝くじカードは限度額が少なくなるでしょう。すると、たとえ５万円の買い物する場合高番号額の消費宝くじカードの方が便利でしょう。、【００１３】      消費宝くじカードの限度額とは、書き込まれる記録金額の合計の最大限度額である。例えば５０００円限度の場合、５２００円の記録金額の合計があっても５０００円の記録金額にみなされることになること。【００１４】      消費宝くじカードにある抽選用消費宝くじ番号の個数について、カードの番号額とカードの限度額によって決められる、例え５０００円の限度額に番号額を１００円に設定されたカードの場合、消費宝くじ番号の個数は５０個で、同じ５０００円の限度額に番号額を１０００円に設定されたカードの場合、消費宝くじ番号の個数は５個になる。【００１５】      さらに、限度額の設定がないカード（たとえＩＣカード）の場合、抽選用消費宝くじ番号がデータ管理記憶サーバーに備えるため、カードに書き込まれた記録額が番号額まで達せする毎に、消費宝くじ番号がデータ管理記憶サーバーから加盟企業に交付されて、カード利用者に渡すことができる、この場合、消費宝くじ番号も記録金額残高もカードにプリントすることができないが、カードの代わりに、領収書など紙にプリントすることができる。【００１６】      又は、本発明の他の観点によれば、消費宝くじカードと、カード読取端末と、管理記憶サーバーと、カード発行元と、を備えることを特徴とする消費宝くじカード方法であって、消費宝くじカード提示ステップと、消費宝くじカードの情報データを読取ステップと、消費宝くじカードの情報データを管理記憶サーバーに情報データを提供ステップと、消費宝くじカードに情報データを書込みステップと、消費宝くじカードに書込み情報データを管理記憶サーバーに送信して記憶させるステップと、消費宝くじ番号の当選番号を抽選ステップと、当選者に当選金を支払ステップと、を備えること、を特徴とする消費宝くじカード方法が提供される。
【発明の効果】
【００１７】      カード利用者は加盟企業から商品又はサービスを購入する場合、店頭でも、ネットでも、現金でも、クレジットカード、電子マネーでも、何れの購入場所、支払方法でも、消費宝くじカードを提示すれば、支払金額に応じる記録金額が消費宝くじカードに加算、記録される。【００１８】      例えばカード利用者が加盟企業で１０００円を買物とする。カード利用者は、消費宝くじカードを提示して１０００円の買物代金を支払い、カードに１０００円分の記録金額がただでまらえる。加盟企業は、支払われた買物代金１０００円をもらって、１０００円の記録金額を提示されたカードに記録してカード発行元に登録する、その代わりにカード発行元に手数料を支払、例え手数料を１３％、この例では３０円の手数料になる、結局支払われた買物代金１０００円から手数料３０を引いた金額は９７０円になり、損に見えるが、実は企業が加盟企業になることによって、カード利用者の利用が増え、企業の売り上げアップにつなげる、利益の方が大きい。カード発行元は、手数料を加盟企業指定銀行口座から引き落とし、この例ではカード会社の利益は３０円で、その手数料の一部を当選金に充当することができる。このように、カード会社に手数料が入る、カード利用者は記録金額がもらえる、加盟企業の売上がアップに繋がる、上述のように、消費宝くじカードシステムは、利用者、お店、カード会社みんなにとってメリットのあるシステムであることが考えられる。【００１９】      消費者が自分の消費能力と消費目的に従って、商品又はサービスを、何時、何処、何をを購入しても、加盟企業であれば、消費宝くじカードを提示すれば、記録金額が与えられ、記録金額が貯めていくと、消費宝くじ番号が有効になる、後日の抽選であたることはともかく、たとえ外れにしても、次のチャンスがまたもらえる。
【図面の簡単な説明】
【００２０】
【図１】本発明の実施形態に係る消費宝くじカードシステム構成図。
【図２】本発明の実施形態の全体構成の１例を示す図。
【図３】本発明の実施形態に係る消費宝くじカードの１例の概念図。
【図４】本発明の実施形態に係る消費宝くじカードシステム流れを示すシーケンス図。
【発明を実施するための形態】
【００２１】      図１は、本発明の実施形態に係る消費宝くじカードシステム構成図である。消費宝くじカードシステム１は、カード発行元２と、カード発行元２が発行する消費宝くじカード５と、消費宝くじカード５を読み書きするカード読取端末６と、カード読取端末６とオンラインで接続される管理記憶サーバー７と、を備える。
【００２２】      消費宝くじカードシステム１において、カード発行元２はシステムの管理運営者として、カード５を発行し、その発行したカードに関する情報データを自分が管理するサーバー７に記憶させる、一方、カード発行元２はカード読取端末６を設けて、サーバー７とオンラインで交信しながらカード５と情報デーだを読み書きする。カード発行元２は、消費宝くじカードシステム１の一環である消費宝くじ番号の当選番号を抽選する、当選者に当選金を支払。
【００２３】カード５は一種の記憶媒体であることで、カードリーダーライタであるカード読取端末６に情報データの読み書きされることができる。
【００２４】      図２は、本発明の実施形態の全体構成の１例を示す図である。図面にある細い矢印線はカード利用の流れを示す線、図面の太い矢印線はお金の流れ示す線。
【００２５】      発行元２が発行した消費宝くじカード５を使えるために、発行元２はまずカード５を消費者に配布してカード利用者９をつくることと、読取端末６を企業に設置して加盟店１０をつくること。（仮想店舗ような企業は読取端末６を設置されない場合、クレジットカードのように消費宝くじカード５の利用ができる。）
【００２６】      利用者９は加盟店１０で買い物時にカード５を提示する、加盟店１０は読取端末６を使ってカード５の情報データを管理記憶サーバー７と交信、そして買い物金額に応じる記録金額をカード５に書込み、管理記憶サーバー７に登録する。
【００２７】      一方、加盟企業１０は加盟することによって、カード利用者９の企業利用が増え、企業の売り上げアップにつなげることで、加盟料又は手数料など料金を予め契約して発行元２に支払、さらに、企業３と加盟企業１０との一部は消費者にアピールために発行元２からカード５を買い取って、消費者に無料配布することが考えられる。ほかにも抽選イベントなどをすることで収入になることができる。このようにお金が発行元２に流れ込みなので、発行元２はその一部を当選金に充当して当選者に支払ことができる。
【００２８】      図３は、本発明の実施形態に係る消費宝くじカードの１例の概念図である。消費宝くじカード５に消費宝くじ番号５０、消費宝くじカード番号５１、カードの限度額５２、番号額５３、残高５４などが記録されるようになる。
【００２９】      図３の例の場合、カードにある有効欄目と残高欄目の記録以外の記録は、すべて予め備えるものである。残高欄目の記録は加盟企業１０から買い物毎に記録され、番号額５３以上になると有効欄目に１個の有効表示が記録され、その有効表示に対応する消費宝くじ番号５０が当選番号抽選に参加することができることになる。番号額５３を超えた記録金額があれば、次個目の消費宝くじ番号５０を有効になるように残高欄目に記録される。又はこのような記録は管理記憶サーバー７にも記憶される、一部はカード発行される前記憶させる、残りの一部は読取端末６との情報データ交信することによって記憶される。
【００３０】      図４は、本発明の実施形態に係る消費宝くじカードシステムの流れを示すシーケンス図である。消費宝くじカード発行元２発行のカード５を消費者４に配布ステップ（Ｓ１０１）と、消費者４はカード５を提示して加盟企業である企業３から買い物、企業３は買い物の物を提供、消費者４は買い物のお金を支払う（Ｓ１０２）と、企業３は消費者４のカード５を読取端末６に読取して記録金額を記録させるステップ（Ｓ１０３）と、読取端末６はカード５とのやり取り情報を管理記憶サーバー７に登録するステップ（Ｓ１０４）と、発行元２は抽選を行い、当選情報をインタネット８などを通じて公示するステップ（Ｓ１０５）と、当選者に当選金を支払うステップ（Ｓ１０６）と、が含まれる。
【００３１】      いずれにしても消費宝くじカードに関する情報データがデータ管理記憶サーバーに登録されるため、消費宝くじ番号または記録金額残高に関する情報データが、消費宝くじカードにプリントしても、領収書など紙にプリントしても、データ管理記憶サーバーにある情報データと一致すればどちらも有効なものである。
【００３２】      また、加盟企業がネットショップのような仮想店舗であっても、クレジットカードのようにカード利用者の消費宝くじカード番号と消費金額をカード発行元に登録すれば、利用者の消費宝くじカードに記録金額が蓄積される。
【符号の説明】
【００３３】      １  消費宝くじカードシステム
２  消費宝くじ券発行元
３  企業（仮想店舗なども含む商品又はサービスなどを提供する者）
４  消費者
５  消費宝くじカード
６  カード読取端末
７  管理記憶サーバー
８  インターネット
９  カード利用者
１０  加盟企業
５０  消費宝くじ番号
５１  消費宝くじカード番号
５２  カードの限度額
５３  番号額
５４  残高
５５  記録金額
【図１】
2018060238.tif 000003
【図２】
2018060238.tif 000004
【図３】
2018060238.tif 000005
【図４】
2018060238.tif 000006